(57)【要約】【課題】ＡＥＤを必要とする場面に遭遇した場合、携帯電話画面に最寄りのＡＥＤ所在箇所までをナビする一方で、ＡＥＤ側では、所在をアピールするため、警報、発光などを発するＡＥＤ活用システム、管理端末およびＡＥＤを提供する。【解決手段】管理端末によって、通報者のＡＥＤ入手を促すＡＥＤ活用システムであって、管理端末は、ＡＥＤの所在地が登録されたデータベースを備え、通報者端末から通報者による通報があった際に、通報者端末の位置情報を取得し、取得した位置情報から通報者端末の位置から最も近いＡＥＤの所在情報を抽出し、抽出した位置情報を通報者端末に送信し、かつ、ＡＥＤが備える携帯電話と通信を行い、ＡＥＤが備える報知手段により周囲への報知を開始させる。【選択図】図１
2009224967.tif 000002
【特許請求の範囲】
【請求項１】
管理サーバによって、通報者のＡＥＤ入手を促す移動体通信システムであって、
前記管理サーバは、ＡＥＤの所在地が登録されたデータベースを備え、
通報者端末から前記通報者による通報があった際に、前記通報者端末の位置情報を取得し、
取得した前記位置情報と、前記データベースとから前記通報者端末の位置から最も近いＡＥＤの所在情報を抽出し、
抽出した前記ＡＥＤの所在情報を前記通報者端末に送信し、かつ、ＡＥＤが備える携帯端末と通信を行い、ＡＥＤが備える報知手段により周囲への報知の開始を行うことを特徴とする移動体通信システム。
【請求項２】
前記報知手段は、警報ベルとしての鳴動機と、発光機とからなることを特徴とする請求項１に記載の移動体通信システム。
【請求項３】
ＡＥＤ側では、前記ＡＥＤが備える携帯端末へ呼び出しを受け、前記報知手段としての前記鳴動機および前記発光機を起動する際に、前記鳴動機および前記発光機の鳴動・光指示に併せて前記ＡＥＤの開錠、収納扉開放を行わせることを特徴とする請求項２に記載の移動体通信システム。
【請求項４】
前記通報者が前記ＡＥＤを入手後または前記ＡＥＤが備える携帯端末が呼び出された際に、前記ＡＥＤの使い方および注意事項を前記通報者に周知させる手段を有することを特徴とする請求項３に記載の移動体通信システム。
【請求項５】
前記データベースの記録には、救急車に搭載のＡＥＤが含まれ、
前記管理サーバは、前記ＡＥＤの所在情報の抽出と同時に最寄りの救急車の所在情報を抽出することを特徴とする請求項４に記載の移動体通信システム。
【請求項６】
前記管理サーバは、前記ＡＥＤが備える携帯端末に応答があった際に、前記携帯端末との通信を前記通報者端末との通信に切り替え通話を可能にすることを特徴とする請求項５に記載の移動体通信システム。
【請求項７】
ＡＥＤの所在地が登録されたデータベースを備えた管理サーバであって、
通報者端末から通報があった場合に、前記通報者端末の位置情報を取得する位置情報取得手段と、
取得した位置情報と、前記データベースとから前記通報者端末の位置から最も近いＡＥＤの所在情報を抽出する抽出手段と、
抽出した前記ＡＥＤの所在情報を前記通報者端末へ送信する送信手段とを有することを特徴とする管理サーバ。
【請求項８】
前記データベースの記録には、救急車に搭載のＡＥＤが含まれ、
前記管理サーバは、前記ＡＥＤの所在情報の抽出と同時に最寄りの救急車の所在情報を抽出することを特徴とする請求項７に記載の管理サーバ。
【請求項９】
前記ＡＥＤが備える携帯端末に応答があった際に、前記携帯端末との通信を前記通報者端末との通信に切り替え通話を可能にする手段を有することを特徴とする請求項８に記載の管理サーバ。
【請求項１０】
ＡＥＤの管理サーバと通信を行う携帯端末を備えたＡＥＤであって、
前記管理サーバからの信号を受信して、周囲への報知を開始する報知手段を有することを特徴とするＡＥＤ。
【請求項１１】
前記報知手段は、警報ベルとしての鳴動機と、発光機とを含むことを特徴とする請求項１０に記載のＡＥＤ。
【請求項１２】
前記ＡＥＤは、前記報知の開始時に、開錠、収納扉開放を行う手段を有することを特徴とする請求項１１に記載のＡＥＤ。
【請求項１３】
前記ＡＥＤは、前記ＡＥＤの使用方法を再生するスピーカを有することを特徴とする請求項１２に記載のＡＥＤ。
【発明の詳細な説明】
【技術分野】
【０００１】
本発明は、移動体通信を活用し、ＡＥＤ所在を迅速に把握出来る移動体通信システム、管理サーバおよびＡＥＤに関する。
【背景技術】
【０００２】
ＡＥＤ（自動体外式除細動器）は「誰でも使える医療機器」と言われている。
しかし、それは「装置」としての使いやすさだけであり、本来の「救命」となると、「ＡＥＤはどこ？」、「ＡＥＤはどこ？」と言っている内に時間が経過し、救命を逸することもありうる。
【０００３】
最近いたるところで「ＡＥＤ」マークを見掛ける。１１９ダイアルで救急車を待つより、近くのＡＥＤの方が有効な場合が多いのではないか。
【０００４】
上記背景に関連する技術を次に開示する。
【０００５】
特許文献１には、ＡＥＤを備えた自販機が開示されている。この自販機では、収納ボックスからＡＥＤを取り出すと、ＡＥＤから管轄消防署に自動通報される、またＡＥＤにはＧＰＳを備えていて位置情報を発信することが記載されている。
【０００６】
特許文献２には、携帯端末を利用した緊急通報システムが開示されている。この緊急通報システムでは、携帯電話から消防署（１１９）に緊急通報があったら、そのダイアルが緊急通報先（つまり１１９番）であることを認識し、発信元の位置情報を消防署に連絡することが記載されている。
【特許文献１】実用新案登録第３１２５３０４号公報
【特許文献２】特開２００３−１９８７５８号公報
【発明の開示】
【発明が解決しようとする課題】
【０００７】
しかしながら、特許文献１および特許文献２に記載されていない問題点が残る。
【０００８】
どこにＡＥＤが常備されているか不明という問題点がある。これは、ある程度設置場所（ＡＢＣビル１Ｆ）が分かっても、実際の所在（ＡＢＣビルはどこ？、１Ｆのどこ？）が分からない等により、人命救助の遅れの起因となる。
【０００９】
そこで、本発明は、ＡＥＤを必要とする場面に遭遇した場合、携帯電話画面に最寄りのＡＥＤ所在箇所までをナビする一方で、ＡＥＤ側では、所在をアピールするため、警報、発光などを発する移動体通信システム、管理サーバおよびＡＥＤの提供を目的とする。
【課題を解決するための手段】
【００１０】
上記の目的を達成するため、本発明にかかる第１の移動体通信システムは、管理サーバによって、通報者のＡＥＤ入手を促す移動体通信システムであって、前記管理サーバは、ＡＥＤの所在地が登録されたデータベースを備え、通報者端末から前記通報者による通報があった際に、前記通報者端末の位置情報を取得し、取得した前記位置情報と、前記データベースとから前記通報者端末の位置から最も近いＡＥＤの所在情報を抽出し、抽出した前記ＡＥＤの所在情報を前記通報者端末に送信し、かつ、ＡＥＤが備える携帯端末と通信を行い、ＡＥＤが備える報知手段により周囲への報知の開始を行うことを特徴とする。
【００１１】
本発明にかかる第１の管理サーバは、ＡＥＤの所在地が登録されたデータベースを備えた管理サーバであって、通報者端末から通報があった場合に、前記通報者端末の位置情報を取得する位置情報取得手段と、取得した位置情報と、前記データベースとから前記通報者端末の位置から最も近いＡＥＤの所在情報を抽出する抽出手段と、抽出した前記ＡＥＤの所在情報を前記通報者端末へ送信する送信手段とを有することを特徴とする。
【００１２】
本発明にかかる第１のＡＥＤは、ＡＥＤの管理サーバと通信を行う携帯端末を備えたＡＥＤであって、前記管理サーバからの信号を受信して、周囲への報知を開始する報知手段を有することを特徴とする。
【発明の効果】
【００１３】
本発明によれば、ＡＥＤを必要とする場面に遭遇した場合、携帯電話画面に最寄りのＡＥＤ所在箇所までをナビする一方で、ＡＥＤ側では、所在をアピールするため、警報、発光などを発し、場所を容易に特定できる様にした移動体通信システム、管理サーバおよびＡＥＤの提供を可能とする。
【発明を実施するための最良の形態】
【００１４】
本発明は、ＡＥＤを必要とする場面に遭遇した場合、「１１９」ダイアルした際、携帯電話画面に最寄りのＡＥＤ所在箇所までをナビする一方で、ＡＥＤ側では、所在をアピールするため、警報、発光などを発し、場所の特定を容易にする手段を提供し、短時間にＡＥＤを入手し、人命救助を支援することを実現する。
【００１５】
上記を実現する移動体通信システム、管理サーバ、および、ＡＥＤを含む好適もしくは最適な構成について図１、図２、図３を用いて説明する。
図１は、本発明にかかる移動体通信システムの構成を示す図である。
図２は、本発明にかかるＡＥＤとＡＥＤ対応携帯電話を示す図である。
図３は、本発明にかかるデータベースの構成を示す図である。
以下に記載する構成は、本発明を実現する好適もしくは、最良な構成であって、これに限定されるものではない。
以下に記載する構成では、一例として、管理サーバを「１１９」センター受付台に適用する。また、通報者端末を通報者が使用する一般の携帯電話に適用し、さらに、ＡＥＤが有する携帯端末は、ＡＥＤ対応携帯電話と記載することがあるものとする。
【００１６】
本発明にかかる移動体通信システムは、図１に示すように、事故発生場所１と、消防署２（以下、１１９センターと呼ぶことがある）と、救急車３と、ＡＥＤ対応携帯４とで構成されるものとする。
【００１７】
事故発生場所１に存在する１１９通報者は、救急を必要とする者を発見し、自己の携帯電話１１を用いて、消防署２に一刻を争う事態であることを報告する。
【００１８】
消防署２は、「１１９」センター受付を有する。「１１９」センター受付では、急病人の状況把握をし、ＡＥＤを必要か否かの判断を行う。「１１９」センター受付台（管理サーバ）は、ＧＰＳ位置情報取得機能を有し、「１１９」センター受付担当者が急病人の状況把握をし、ＡＥＤを必要か否かの判断を行う際に、通報者の所在情報を自動的に取得する。
【００１９】
「１１９」センター受付担当者は、「１１９」センター受付台のＡＥＤ指示ボタンを押下し、ＡＥＤデータベースをアクセスし、最寄りのＡＥＤ所在情報とＡＥＤ対応携帯電話の番号の抽出を行う。
【００２０】
「１１９」センター受付担当者は、「１１９」センター受付台で、ＡＥＤ所在情報を１１９通報者へ送信し、ＡＥＤ入手を指示する。
【００２１】
本発明にかかる移動体通信システムでは、救急車３には、ＡＥＤが存在する。「１１９」センター受付担当者は、「１１９」センター受付台で、ＡＥＤの所在情報を調べ、ＡＥＤが存在する救急車３に急行指示をする。
【００２２】
ＡＥＤ対応携帯４は、「１１９」センター受付担当者と連絡を取るための携帯電話である。「１１９」センター受付担当者は、「１１９」センター受付台（管理サーバ）を用いて、ＡＥＤ対応携帯４に対し、呼出しを行う。
【００２３】
図２に示すように、本発明にかかるＡＥＤ対応携帯４は、ＡＥＤ収納箱２１に収納されている。本発明にかかるＡＥＤの収納箱２１は、報知手段としての発光機２２と、鳴動機２３と、スピーカとを有する。
【００２４】
発光機２２は、ＡＥＤの周辺に対して発光を行い、周辺の者、および、通報者へと報知を行い、ＡＥＤが収納されているＡＥＤ収納箱２１の存在場所を知らせる。これによって、通報者による迅速なＡＥＤ入手を促す。
【００２５】
鳴動機２３は、警報ベルとして、周辺の者、および、通報者へと報知を行い、ＡＥＤが収納されているＡＥＤ収納箱２１の存在場所を知らせる。これによって、通報者による迅速なＡＥＤ入手を促す。
【００２６】
スピーカは、通報者がＡＥＤが収納されているＡＥＤ収納箱２１の存在場所を知り、ＡＥＤを入手した後、ＡＥＤの使用方法を知らせるためのものである。
【００２７】
図３において、本発明にかかる「１１９」センター受付は、上述したように、「１１９」センター受付台を有し、「１１９」センター受付担当者が存在し、「１１９」センター受付担当者は、「１１９」センター受付台で、ＡＥＤデータベース３０にアクセスする。
【００２８】
ＡＥＤデータベース３０は、ＡＥＤ設置場所情報、対応携帯電話番号、救急者車載表示を格納する。
【００２９】
以下、上述した移動体通信システムの構成で実施を行う形態について説明する。
以下の実施の形態は、本発明を好適もしくは最良に実施する形態であって、これに限定されることはなく、当業者が容易に想到できる範囲内において、修正、変形可能とする。
【００３０】
（第１の実施形態）
第１の実施形態にかかる移動体通信システムについて図４を用いて説明する。
図４は、第１の実施形態にかかる移動体通信システムの処理について説明するフローチャート図である。
【００３１】
事故発生場所１において、ＡＥＤを必要とする急病人に遭遇した人（１１９通報者）が、所持している携帯電話１１から「１１９」ダイアルを行う（ステップＳ１０１）。
【００３２】
「１１９」センター受付（消防署２）の「１１９」センター受付担当者は、１１９通報者から急病人の状況を聞き、状況把握を行い、ＡＥＤが必要か否かの判断を行う（ステップＳ１０２）。
【００３３】
「１１９」センター受付（消防署２）の「１１９」センター受付担当者は、「１１９」センター受付台（管理サーバ）で、通報者の所在情報を自動取得する（ステップＳ１０３）。
【００３４】
「１１９」センター受付（消防署２）の「１１９」センター受付担当者は、「１１９」センター受付台（管理サーバ）のＡＥＤ指示ボタンを押下し、ＡＥＤデータベースをアクセスし、最寄りのＡＥＤ所在情報とＡＥＤ対応携帯電話の番号を抽出する（ステップＳ１０４）。
【００３５】
「１１９」センター受付（消防署２）の「１１９」センター受付担当者は、「１１９」センター受付台（管理サーバ）で取得したＡＥＤ所在情報を１１９通報者へ送信し、ＡＥＤ入手を指示する（ステップＳ１０５）。
【００３６】
これと同時に、「１１９」センター受付（消防署２）の「１１９」センター受付担当者は、「１１９」センター受付台（管理サーバ）でＡＥＤ対応携帯電話４へ呼び出しを行う。
【００３７】
１１９通報者は、指示に従い、入手したＡＥＤ所在情報を元にＡＥＤの所在へ向かう。ＡＥＤ所在情報の入手方法は、例として、地図情報の送信、文字による案内、音声による説明がある。
【００３８】
ＡＥＤ側では、ＡＥＤ対応携帯電話へ呼び出しを受け、鳴動機２３、発光機２２を起動する（ステップＳ１０６）。
【００３９】
発光機２２は、ＡＥＤの周辺に対して発光を行い、周辺の者、および、通報者へと報知を行い、ＡＥＤが収納されているＡＥＤ収納箱２１の存在場所を知らせる。これによって、通報者による迅速なＡＥＤ入手を促す。
【００４０】
鳴動機２３は、警報ベルとして、周辺の者、および、通報者へと報知を行い、ＡＥＤが収納されているＡＥＤ収納箱２１の存在場所を知らせる。これによって、通報者による迅速なＡＥＤ入手を促す。
【００４１】
スピーカは、通報者がＡＥＤが収納されているＡＥＤ収納箱２１の存在場所を知り、ＡＥＤを入手した後、ＡＥＤの使用方法を知らせるためのものである。
【００４２】
本実施形態によれば、ＡＥＤ必要に遭遇した場合、最も近いところにあるＡＥＤ所在が知らされることで、通報者のＡＥＤ入手を迅速にすることを可能とする。これによって、救命の手助けを実現する。
【００４３】
また、通報者と、管理サーバを使用している管理人（センター受付担当者）との通話によって、短時間で通報者がＡＥＤ所在情報を入手することが可能となる。
【００４４】
また、ＡＥＤ側では、鳴動・発光によりＡＥＤを入手に来る人のより早い所在確認が可能となる。
【００４５】
さらに、ＡＥＤ側では、鳴動・発光によりＡＥＤを入手に来る人がいることが周囲の人にも分かるので、来る人を誘導することが期待できる。
【００４６】
（第２の実施形態）
第２の実施形態にかかる移動体通信システムについて図５を用いて説明する。
図５は、第２の実施形態にかかる移動体通信システムの処理について説明するフローチャート図である。
【００４７】
本実施形態では、第１の実施形態における処理に加え、ＡＥＤを入手し移動中に、音声で使い方・注意事項を周知する。ＡＥＤ対応携帯電話に呼び出された時、ガイダンス開始を行う。
【００４８】
本実施形態では、第１の実施形態における処理に加え、ＡＥＤは収納の仕方では、取り出しに手間を要する場合もある。ＡＥＤ対応携帯電話が呼び出された時、鳴動・光指示に併せて開錠、収納扉開放など、すぐ持ち出せる状態へ移行させる。
【００４９】
本実施形態では、第１の実施形態における処理に加え、救急車に搭載のＡＥＤを合わせてデータベースに記録しておき、最寄りの救急車へ出動を指示する。この時、１１９通報者から入手した位置情報を伝える。
【００５０】
本実施形態では、第１の実施形態における処理に加え、ＡＥＤ対応携帯電話で誰かが応答すると、通報者の携帯電話と接続され、ＡＥＤの所在の詳細説明、または逆にＡＥＤを届けるなどの通話を可能にする。
同様に、救急車と通報者の通話を構成し、救急車到着までの指示を可能にする。
【００５１】
事故発生場所１において、ＡＥＤを必要とする急病人に遭遇した人（１１９通報者）が、所持している携帯電話１１から「１１９」ダイアルを行う（ステップＳ２０１）。
【００５２】
「１１９」センター受付（消防署２）の「１１９」センター受付担当者は、１１９通報者から急病人の状況を聞き、状況把握を行い、ＡＥＤが必要か否かの判断を行う（ステップＳ２０２）。
【００５３】
「１１９」センター受付（消防署２）の「１１９」センター受付担当者は、「１１９」センター受付台（管理サーバ）で、通報者の所在情報を自動取得する（ステップＳ２０３）。
【００５４】
「１１９」センター受付（消防署２）の「１１９」センター受付担当者は、「１１９」センター受付台（管理サーバ）のＡＥＤ指示ボタンを押下し、ＡＥＤデータベースをアクセスし、最寄りのＡＥＤ所在情報とＡＥＤ対応携帯電話の番号を抽出する（ステップＳ２０４）。
【００５５】
「１１９」センター受付（消防署２）の「１１９」センター受付担当者は、「１１９」センター受付台（管理サーバ）で取得したＡＥＤ所在情報を１１９通報者へ送信し、ＡＥＤ入手を指示する（ステップＳ２０５）。
【００５６】
これと同時に、「１１９」センター受付（消防署２）の「１１９」センター受付担当者は、「１１９」センター受付台（管理サーバ）でＡＥＤ対応携帯電話４へ呼び出しを行う。
【００５７】
さらに、本実施形態では、救急車に搭載のＡＥＤを合わせてデータベースに記録しておき、最寄りの救急車へ出動を指示する。この時、１１９通報者から入手した位置情報を伝える。
【００５８】
ＡＥＤ対応携帯電話で誰かが応答すると、通報者の携帯電話と接続され、ＡＥＤの
所在の詳細説明、または逆にＡＥＤを届けるなどの通話を可能にする。同様に、救急車と通報者の通話を構成し、救急車到着までの指示を可能にする。
【００５９】
１１９通報者は、指示に従い、入手したＡＥＤ所在情報を元にＡＥＤの所在へ向かう。ＡＥＤ所在情報の入手方法は、例として、地図情報の送信、文字による案内、音声による説明がある。
【００６０】
ＡＥＤ側では、ＡＥＤ対応携帯電話へ呼び出しを受け、報知手段としての鳴動機２３、発光機２２を起動する（ステップＳ２０６）。この際、ＡＥＤは収納の仕方では、取り出しに手間を要する場合がある。ここで、ＡＥＤ対応携帯電話が呼び出された時、これと同時に、鳴動機２３、および、発光機２２の鳴動・光指示に併せて開錠、収納扉開放など、すぐ持ち出せる状態へ移行させる。
【００６１】
発光機２２は、ＡＥＤの周辺に対して発光を行い、周辺の者、および、通報者へと報知を行い、ＡＥＤが収納されているＡＥＤ収納箱２１の存在場所を知らせる。これによって、通報者による迅速なＡＥＤ入手を促す。
【００６２】
鳴動機２３は、警報ベルとして、周辺の者、および、通報者へと報知を行い、ＡＥＤが収納されているＡＥＤ収納箱２１の存在場所を知らせる。これによって、通報者による迅速なＡＥＤ入手を促す。
【００６３】
スピーカは、通報者がＡＥＤを入手し移動中に、音声で使い方・注意事項を周知する。ＡＥＤ対応携帯電話に呼び出された時、または通報者がＡＥＤを入手した時、ガイダンス開始をし、通報者がＡＥＤを入手し移動中に、音声で使い方・注意事項を周知する。（ステップＳ２０７）。
【００６４】
本実施形態によれば、ＡＥＤ必要に遭遇した場合、最も近いところにあるＡＥＤ所在が知らされることで、通報者のＡＥＤ入手を迅速にすることを可能とする。これによって、救命の手助けを実現する。
【００６５】
また、ＡＥＤ側で、ＡＥＤ対応携帯電話へ呼び出しを受けた際に、ＡＥＤ対応携帯電話が呼び出された時、これと同時に、鳴動機２３、および、発光機２２の鳴動・光指示に併せて開錠、収納扉開放など、すぐ持ち出せる状態へ移行させることで、より短時間でＡＥＤの入手が可能となる。
【００６６】
また、ＡＥＤ側では、鳴動機２３、および、発光機２２の鳴動・発光によりＡＥＤを入手に来る人のより早い所在確認が可能となる。
【００６７】
さらに、ＡＥＤ側では、音声で使い方・注意事項を周知し、ＡＥＤ対応携帯電話に呼び出された時、または通報者がＡＥＤを入手した時、ガイダンス開始を行うことで、通報者にとって、迅速にＡＥＤの使用方法を知ることが可能となり、迅速な救命を実現する。
【図面の簡単な説明】
【００６８】
【図１】本発明にかかる移動体通信システムの構成を示す図である。
【図２】本発明にかかるＡＥＤとＡＥＤ対応携帯電話を示す図である。
【図３】本発明にかかるデータベースの構成を示す図である。
【図４】第１の実施形態にかかる移動体通信システムの処理について説明するフローチャート図である。
【図５】第２の実施形態にかかる移動体通信システムの処理について説明するフローチャート図である。
【符号の説明】
【００６９】
１    事故発生場所
２    消防署（１１９センター）
３    救急車
４    ＡＥＤ対応携帯
１１    携帯電話
２１    ＡＥＤ収納箱
２２    発光機
２３    鳴動機
３０    ＡＥＤデータベース
【図１】
2009224967.tif 000003
【図２】
2009224967.tif 000004
【図３】
2009224967.tif 000005
【図４】
2009224967.tif 000006
【図５】
2009224967.tif 000007